(57)【要約】【課題】腰折れ状の曲りがなく、運搬や施工時にタイルパネルが曲って不良品となることが防止されるタイルパネルを提供する。【解決手段】タイルパネル１０では、１５０×１５０ｍｍの最大寸法を有した１５０角タイル１１と、１００×１００ｍｍの１００角タイル１２と、１５０×１００ｍｍの長方形タイル１３と、１５０×５０ｍｍの長方形タイル１４と、１００×５０ｍｍの長方形タイル１５とがそれぞれ可撓性を有した９００×９００ｍｍの正方形の下地パネル１７上に有機系接着剤１８を介して接着されている。タイル間の目地には目地材１９が充填されている。いずれの縦横の目地も非通し目地であり、いずれの目地の延長線上においても該延長線を横断するタイルが存在する。【選択図】　図１
2004044263.tif 000002
【特許請求の範囲】
【請求項１】
可撓性の方形の下地パネルの前面に複数枚のタイルが張り付けられ、タイル間に目地が設けられているタイルパネルにおいて、
該下地パネルの縦横方向のいずれにおいても目地が非通し目地となっており、
いずれの目地の延長線上においても該延長線を横断する該タイルが存在することを特徴とするタイルパネル。
【請求項２】
請求項１において、前記タイルとして最も寸法の大きい最大寸法タイルと、それよりも寸法の小さいタイルとが混在して張り付けられており、
前記目地の延長線を横断するタイルは該最大寸法タイルであることを特徴とするタイルパネル。
【請求項３】
請求項１又は２において、いずれの目地の延長線上においても該延長線を横断する２枚以上の該タイルが存在することを特徴とするタイルパネル。
【請求項４】
請求項３において、前記目地の延長線を横断するタイルは離隔して配置されていることを特徴とするタイルパネル。
【請求項５】
請求項１ないし４のいずれか１項において、前記下地パネルは金属パネルであることを特徴とするタイルパネル。
【発明の詳細な説明】
【０００１】
【発明の属する技術分野】
本発明は下地パネルの前面にタイルを張り付けてなるタイルパネルに係り、特に下地パネルが金属パネルなど可撓性を有している場合に採用されるタイルパネルに関する。
【０００２】
【従来の技術】
下地パネルの前面にタイルを張り付けてなるタイルパネルは広く用いられている。このタイルパネルによれば施工現場でタイルを手張りする作業が不要となり、タイル張りの施工工期が著しく短くなると共に、タイル職人の手間賃も節約され、コスト安である。
【０００３】
このタイルパネルの下地パネルとして厚さの小さい金属パネルを採用すると、タイルパネル全体の厚みもそれだけ小さいものとなり、タイルパネルの張り上り厚みもそれだけ小さいものとなり、タイルパネルの張り上がり厚みが小さくなる。
【０００４】
従来のタイルパネルのタイル割り付け例を第６，７図に示す。第６図は目地を縦横のいずれにおいても通し目地としたものである。第７図は横方向を通し目地とした馬目地（馬踏み目地）である。
【０００５】
【発明が解決しようとする課題】
薄手の金属パネルは可撓性を有しているため、この薄手の金属パネルにタイルを張り付けたタイルパネルは輸送時や施工時などの取扱い時に通し目地に沿って曲り易い。
【０００６】
そして、この曲りの程度が大きくなると、目地切れしたり、金属パネルが座屈する如く塑性変形してしまい、施工に用いることができなくなってしまう。
【０００７】
本発明は、タイルパネルの下地パネルの変形を防止することを目的とする。
【０００８】
【課題を解決するための手段】
本発明のタイルパネルは、可撓性の方形の下地パネルの前面に複数枚のタイルが張り付けられ、タイル間に目地が設けられているタイルパネルにおいて、該下地パネルの縦横方向のいずれにおいても目地が非通し目地となっており、いずれの目地の延長線上においても該延長線を横断する２枚以上の該タイルが存在することを特徴とするものである。
【０００９】
かかるタイルパネルによると、縦横方向のいずれの目地も非通し目地となっており、且つ目地の延長線上に複数枚のタイルが存在するため、タイルパネルの目地に沿う曲げ剛性（曲げ弾性率）が高くなり、タイルパネルが目地に沿って曲ることが抑制される。
【００１０】
本発明では、いずれの目地の延長線上においても該延長線を横断する２枚以上の該タイルが存在することが好ましい。かかるタイルパネルによると、目地の延長線上に複数枚のタイルが存在するため、タイルパネルの目地に沿う曲げ剛性（曲げ弾性率）が十分に高くなり、タイルパネルが目地に沿って曲ることが十分に抑制される。
【００１１】
本発明では、タイルとして最も寸法の大きい最大寸法タイルと、それよりも寸法の小さいタイルとが混在して張り付けられており、目地の延長線を横断するタイルは該最大寸法タイルであることが好ましい。このように寸法の大きいタイルが目地の延長線を横断するように配置されたタイルパネルは、曲げ剛性が高く、下地パネルの変形が十分に防止される。
【００１２】
本発明では、目地の延長線を横断するタイルを離隔配置し、タイルパネルの広い範囲に渡って曲げ剛性を高めるのが好ましい。
【００１３】
下地パネルとしてはアルミ板、鋼板等の金属パネルが好ましいが、合成樹脂板、スレート板、合板等であってもよい。
【００１４】
下地パネルにタイルを張るための接着剤としては、エポキシ系、ウレタン系、シリコン系、変性シリコン系などが好適であるが、これに限定されない。タイルとしては、陶器質タイル、せっ器質タイル、磁器質タイルのいずれでもよい。タイル間の目地には、モルタル系、樹脂モルタル系、樹脂系（シリコン、エポキシ等）などの目地材を充填するのが好ましい。
【００１５】
【発明の実施の形態】
以下、図面を参照して実施の形態について説明する。第１図〜第５図はいずれも実施の形態に係るタイルパネルのタイル割り付け例を示している。第１図（ｂ）は第１図（ａ）のＢ−Ｂ線に沿う断面図である。なお、以下の実施の形態では、タイルパネルは一辺が９００ｍｍの正方形であるが、タイルパネルの寸法はこれに限定されるものではなく、また形状も長方形であってもよい。タイルの寸法及び下地パネルの厚み、材質も一例にすぎず、何ら本発明を限定するものではない。
【００１６】
第１図のタイルパネル１０では、１５０×１５０ｍｍの最大寸法を有した１５０角タイル１１と、１００×１００ｍｍの１００角タイル１２と、１５０×１００ｍｍの長方形タイル１３と、１５０×５０ｍｍの長方形タイル１４と、１００×５０ｍｍの長方形タイル１５とがそれぞれ可撓性を有した９００×９００ｍｍの正方形の下地パネル１７上に有機系接着剤１８を介して接着されている。タイル間の目地には目地材１９が充填されている。なお、この実施の形態では下地パネル１７は０．５ｍｍ厚のアルミ板よりなるが、材質、厚みはこれに限定されない。目地材１９はモルタル系のものであるが、これも特に限定されるものではない。
【００１７】
第１図（ａ）の通り、いずれの縦横の目地も非通し目地であり、いずれの目地の延長線上においても該延長線を横断するタイルが存在し、特にこの実施の形態では該延長線を横断する２枚以上のタイルが存在する。また、いずれの目地延長線も最大寸法タイル（１５０角タイル）を横断している。さらに、いずれの目地延長線においても、目地延長線が横断するタイルは互いに離隔している。そのため、下地パネル１７が目地に沿って折れ曲がろうとした場合、目地延長線を横断するタイルがタイルパネルに広い範囲にわたって大きな抗折力を与え、タイルパネルの目地に沿う腰折れ状の曲りが防止される。
【００１８】
このタイルパネルは、下地パネル１７の裏側に接着剤を線状又は点状に付け、必要に応じ両面テープをさらに貼り、キッチン等の室内壁面に接着する内装タイル施工に適用するのにきわめて好適である。
【００１９】
第２図のタイルパネル２０は、２００×２００ｍｍの２００角タイル２１と、１００×１００ｍｍの１００角タイル２２と、２００×１００ｍｍの長方形タイル２３とからなる。
【００２０】
縦横のいずれの目地も非通し目地となっており、目地の延長線を２枚以上のタイルが横断している。また、いずれの目地延長線も少なくとも１枚の最大寸法タイル（２００×２００ｍｍの２００角タイル）を横断している。
【００２１】
第３図のタイルパネル３０は、２００×１００ｍｍの長方形タイル３１と、１００×１００ｍｍの１００角タイル３２とからなる。
【００２２】
縦横のいずれの目地も非通し目地となっており、目地の延長線を２枚以上のタイルが横断している。
【００２３】
第４図のタイルパネル４０は、１００×１００ｍｍの１００角タイル４１と、５０×５０ｍｍの５０角タイル４２と、１００×５０ｍｍの長方形タイル４３とからなる。
【００２４】
縦横のいずれの目地も非通し目地となっており、目地の延長線を２枚以上のタイルが横断している。
【００２５】
第５図のタイルパネル５０は、２００×１００ｍｍの長方形タイル５１と、１５０×１００ｍｍの長方形タイル５２と、１００×５０ｍｍの長方形タイル５３と、５０×５０ｍｍの５０角タイル５４とからなる。
【００２６】
縦横のいずれの目地も非通し目地となっており、目地の延長線を２枚以上のタイルが横断している。
【００２７】
第２図〜第４図のタイルパネル２０，３０，４０，５０においても、目地延長線をタイルが横断しており、かつ目地延長線を横断するタイルは互いに離隔している。
【００２８】
そのため、広い範囲にわたってタイルパネルの抗折力が高いものとなり、目地に沿う腰折れ状の曲りが防止される。
【００２９】
【発明の効果】
以上の通り、本発明によると、腰折れ状の曲りがなく、運搬や施工時にタイルパネルが曲って不良品となることが防止される。また、施工時の取り扱いに細かな注意を払うことが不要となり、施工作業効率が向上する。
【図面の簡単な説明】
【図１】実施の形態に係るタイルパネルの正面図とその部分断面図である。
【図２】実施の形態に係るタイルパネルの正面図である。
【図３】実施の形態に係るタイルパネルの正面図である。
【図４】実施の形態に係るタイルパネルの正面図である。
【図５】実施の形態に係るタイルパネルの正面図である。
【図６】従来例の説明図である。
【図７】従来例の説明図である。
【符号の説明】
１０，２０，３０，４０，５０　タイルパネル
１１〜１５，２１〜２３，３１，３２，４１〜４３，５１〜５４　タイル
１７　下地パネル
１８　接着剤
１９　目地材
【図１】
2004044263.tif 000003
【図２】
2004044263.tif 000004
【図３】
2004044263.tif 000005
【図４】
2004044263.tif 000006
【図５】
2004044263.tif 000007
【図６】
2004044263.tif 000008
【図７】
2004044263.tif 000009